(57)【要約】【課題】生体内で周期的動作を行う所定の部位を捉えた動画像の再生表示を通して、医者等が病気の有無などを簡単に把握することができる動画像表示装置を提供する。【解決手段】動画像表示装置１００は、動画像データ取得部２０、分割部３３および再生表示部４０を備えている。動画像データ取得部２０は、肺野領域Ｈａの周期的動きを捉えた、時系列的に撮像された複数のフレームから成る動画像データを取得する。分割部３３は、肺野領域Ｈａの周期的動きにおいて、動画像データを、変位量が最小値から最大値となる期間の第一のフレーム群と、変位量が最大値から最小値となる期間の第二のフレーム群とに、分割する。再生表示部４０は、再生開始時を同期させて、第一のフレーム群の再生画像と第二のフレーム群の再生画像とを、比較可能に表示する。【選択図】図１
2010158275.tif 000002
【特許請求の範囲】
【請求項１】
生体における所定の部位の周期的動きを捉えた、時系列的に撮像された複数のフレームから成る動画像データを取得する、動画像データ取得部と、
前記所定の部位の周期的動きにおいて、前記動画像データを、変位量が最小値から最大値となる期間の第一のフレーム群と、前記変位量が最大値から最小値となる期間の第二のフレーム群とに、分割する分割部と、
再生開始時を同期させて、前記第一のフレーム群の再生画像と前記第二のフレーム群の再生画像とを、比較可能に表示する再生表示部とを、備えている、
ことを特徴とする動画像表示装置。
【請求項２】
前記再生表示部は、
前記第一のフレーム群または前記第二のフレーム群を、前記動画像データ撮像の時系列とは逆方向に再生する、
ことを特徴とする請求項１に記載の動画像表示装置。
【請求項３】
前記再生表示部は、
同時に再生が終了するように、前記第一のフレーム群の再生画像および前記第二のフレーム群の再生画像の少なくとも一方に対して再生時間調整を行う、
ことを特徴とする請求項１または請求項２に記載の動画像表示装置。
【請求項４】
前記所定の部位は、
肺野領域であり、
前記第一のフレーム群は、
呼吸動態の吸気期間を撮像した、複数の前記フレームから構成され、
前記第二のフレーム群は、
前記呼吸動態の呼気期間を撮像した、複数の前記フレームから構成される、
ことを特徴とする請求項１に記載の動画像表示装置。
【請求項５】
前記動画像データから、前記所定の部位の領域を各々抽出する対象領域抽出部と、
抽出された各前記所定の部位の領域において、所望の位置を特徴点として規定し、前記動画像データにおいて前記特徴点の動きを捉えることにより、前記所定の部位の前記周期的動きを求める、位相抽出部とを、さらに備えている、
ことを特徴とする請求項１に記載の動画像表示装置。
【請求項６】
コンピュータによって実行されることにより、前記コンピュータを請求項１乃至請求項５の何れかに記載の動画像表示装置として機能させる、
ことを特徴とするプログラム。
【発明の詳細な説明】
【技術分野】
【０００１】
この発明は、動画像表示装置およびプログラムに係る発明であり、特に、生体における所定の部位の周期的な動きを表示させることができる動画像表示装置およびプログラムに関するものである。
【背景技術】
【０００２】
医療現場では、Ｘ線等を用いて内蔵や骨格等に含まれる患部を撮影することにより、各種検査や診断が行われている。そして、近年では、デジタル技術の適用により、Ｘ線等を用いて患部の動きを捉えた動画像を比較的容易に取得することが可能となっている。たとえば、近年では、Ｆｌａｔ  Ｐａｎｅｌ  Ｄｅｔｅｃｔｏｒの出現によって、歪の無いＸ線動画像を撮影できるようになっている。当該Ｘ線動画像撮影によって、静止画では捉えられなかった臓器などの機能・動態を解析・診断することができる。
【０００３】
そして、患部の動きを捉えて診断することが有効な臓器としては、たとえば、呼吸によって臓器の形状が大きく変化する肺等が挙げられる。たとえば、肺は、疾病を伴う部分では拡大および収縮の動きが著しく低下する傾向を示す。このため、医師は、肺の挙動を動画像を通じて認識することで、診断を行うことが可能となる。
【０００４】
なお、診断の用途に用いられる装置に関する先行技術としては、特許文献１や特許文献２などが存在している。
【０００５】
特許文献１では、生体内の同一部位について別々に撮影した時系列的な画像の間で、同一時相のもの同士の比較を行う画像表示装置が提案されている。これに対して、特許文献２では、経時的に隔たった複数の呼吸サイクル中に撮影された呼吸動画画像に対して、位相を合わせて差分を取る画像処理装置が提案されている。
【先行技術文献】
【特許文献】
【０００６】
【特許文献１】特開平５−５６９３３号公報
【特許文献２】特開２００５−１５１０９９号公報
【発明の概要】
【発明が解決しようとする課題】
【０００７】
ところで、たとえば呼吸に伴い周期的に動く肺のように、生体内で周期的動作を行う所定の部位の動画像を診断目的等で表示させ、当該表示を通して医者等が病気の有無などを簡単に把握することができる動画像表示装置が、望まれている。
【０００８】
そこで、本発明は、生体内で周期的動作を行う所定の部位を捉えた動画像の再生表示を通して、医者等が病気の有無などを簡単に把握することができる動画像表示装置、および当該処理を可能せしめるプログラムを提供することを目的とする。
【課題を解決するための手段】
【０００９】
上記の目的を達成するために、本発明に係る請求項１に記載の動画像表示装置は、生体における所定の部位の周期的動きを捉えた、時系列的に撮像された複数のフレームから成る動画像データを取得する、動画像データ取得部と、前記所定の部位の周期的動きにおいて、前記動画像データを、変位量が最小値から最大値となる期間の第一のフレーム群と、前記変位量が最大値から最小値となる期間の第二のフレーム群とに、分割する分割部と、再生開始時を同期させて、前記第一のフレーム群の再生画像と前記第二のフレーム群の再生画像とを、比較可能に表示する再生表示部とを、備えている。
【００１０】
また、本発明に係る請求項２に記載の動画像表示装置は、請求項１に記載の動画像表示装置であって、前記再生表示部は、前記第一のフレーム群または前記第二のフレーム群を、前記動画像データの撮像の時系列とは逆方向に再生する。
【００１１】
また、本発明に係る請求項３に記載の動画像表示装置は、請求項１または請求項２に記載の動画像表示装置であって、前記再生表示部は、同時に再生が終了するように、前記第一のフレーム群の再生画像および前記第二のフレーム群の再生画像の少なくとも一方に対して再生時間調整を行う。
【００１２】
また、本発明に係る請求項４に記載の動画像表示装置は、請求項１に記載の動画像表示装置であって、前記所定の部位は肺野領域であり、前記第一のフレーム群は、呼吸動態の吸気期間を撮像した複数の前記フレームから構成され、前記第二のフレーム群は、前記呼吸動態の呼気期間を撮像した、複数の前記フレームから構成される。
【００１３】
また、本発明に係る請求項５に記載の動画像表示装置は、請求項１に記載の動画像表示装置であって、前記動画像データから、前記所定の部位の領域を各々抽出する対象領域抽出部と、抽出された各前記所定の部位の領域において、所望の位置を特徴点として規定し、前記動画像データにおいて前記特徴点の動きを捉えることにより、前記所定の部位の前記周期的動きを求める、位相抽出部とをさらに備えている。
【００１４】
また、本発明に係る請求項６に記載のプログラムは、コンピュータによって実行されることにより、前記コンピュータを請求項１乃至請求項５の何れかに記載の動画像表示装置として機能させる。
【発明の効果】
【００１５】
本発明の請求項１に記載の動画像表示装置および請求項６に記載のプログラムは、生体の所定の部位の周期的動きを捉えた複数のフレームから成る動画像データを、変位量が最小値から最大値となる期間の第一のフレーム群と、前記変位量が最大値から最小値となる期間の第二のフレーム群とに、分割している。そして、動画像表示装置は、再生開始時を同期させて、第一のフレーム群の再生画像と第二のフレーム群の再生画像とを、比較可能に表示している。
【００１６】
これにより、再生表示される動画像を通して、生体における周期的動きを行う所定の部位の、前半周期分の動きと後半周期分の動きとの相違などを簡単に認識することができる。したがって、当該相違等に起因した病気（所定の部位の異常など）の有無を、医者等は簡単に把握することができる。
【００１７】
また、本発明の請求項２に記載の動画像表示装置は、所定の部位の動きの方向を合わせた状態で、第一のフレーム群と第二のフレーム群とを比較可能に表示している。
【００１８】
したがって、周期的動きを行う所定の部位の前半周期分の動きと後半周期分の動きとの相違を動きの方向性を合わせて判断することが重要な病気などを、医者等は簡単に診察できるようになる。
【００１９】
また、本発明の請求項３に記載の動画像表示装置は、第一のフレーム群の再生時間と第二のフレーム群の再生時間とを同じとする再生時間調整処理を実施している。そして、当該再生時間調整後の第一のフレーム群の再生画像および第二のフレーム群の再生画像とを比較可能に表示している。
【００２０】
したがって、たとえば周期的動きを行う所定の部位の前半周期分の動きの時間と後半周期分の動きの時間とを同じにして、両者を比較し、両者の相違を検出することが重要な病気などを、医者等は簡単に診察できるようになる。
【００２１】
また、本発明の請求項４に記載の動画像表示装置は、所定の部位は肺野領域であり、第一のフレーム群は、呼吸動態の吸気期間を撮像したフレームから構成され、第二のフレーム群は、呼吸動態の呼気期間を撮像したフレームから構成される。
【００２２】
したがって、吸気期間の再生画像と呼気期間の再生画像との比較を行うことにより、慢性肺疾患の種別診断や重篤度の把握が容易となる。
【００２３】
また、本発明の請求項５に記載の動画像表示装置は、抽出された所定の部位において所望の位置に特徴点を設定し、当該特徴点の動きを捉えることにより、当該所定の部位の周期的動きを求めている。
【００２４】
したがって、生体における所定の部位の周期的動きを求める処理を、他の器具を使うことなく、迅速かつ軽負担で行うことができる。
【図面の簡単な説明】
【００２５】
【図１】本発明に係る動画像表示装置の機能構成を示すブロック図である。
【図２】実施の形態１に係る動画像表示装置の動作の流れを示す図である。
【図３】肺野領域抽出の様子を示す図である。
【図４】特徴点の決定の様子を示す図である。
【図５】肺野領域の周期的な動きを例示するデータ図である。
【図６】肺野領域の周期的な動きを例示する図である。
【図７】実施の形態１に係る動画像表示装置の再生表示動作を説明するための図である。
【図８】実施の形態２に係る動画像表示装置の再生表示動作を説明するための図である。
【図９】実施の形態３に係る動画像表示装置の再生表示動作を説明するための図である。
【図１０】再生時間調整処理の方法を説明するための図である。
【発明を実施するための形態】
【００２６】
以下、この発明をその実施の形態を示す図面に基づいて具体的に説明する。
【００２７】
＜実施の形態１＞
本実施の形態では、周期的な動作を行う生体内の所定の部位の動きを捉えた動画像データを分割し、当該分割した各動画像データを比較可能に再生表示する。
【００２８】
図１は、本実施の形態に係る動画像表示装置の構成を機能ブロック的に図示した図である。
【００２９】
図１に示すように、当該動画像表示装置１００は、動画像データ保持部１０、動画像データ取得部２０、制御部３０および再生表示部４０により構成されている。また、制御部３０は、対象領域抽出部３１、位相抽出部３２および分割部３３により構成されている。
【００３０】
ハードディスクにより構成されるデータ保持部１０には、撮像された動画像データ、撮像レートおよび処理結果などが保持される。動画像データ取得部２０は、動画像データなどデータ保持部１０に格納されている情報を取得する。制御部３０は、動画像表示装置１００の動作を制御する。また、再生表示部４０は、動画像データの再生し、当該再生画像を表示する。また、再生表示部４０は、所定のグラフなどを表示することもできる。
【００３１】
対象領域抽出部３１は、動画像データを構成する各フレームから対象領域（肺野領域など）を抽出する。位相抽出部３２は、対象領域抽出部３１で抽出された所定の部位の周期的な動きを同定し、求める。さらに、分割部３３は、動画像データを構成する連続するフレームにおいてフレームの分割点を求め、当該分割点を起点として、動画像データを二つのフレーム群に分割する。
【００３２】
図２は、本実施の形態に係る動画像表示装置１００の動作の流れを示す図である。図２を用いて、動画像表示装置１００の動作を説明する。本実施の形態では、肺野の呼吸動態を撮影したＸ線動画像データを分割し、当該分割した各動画像データを比較可能に再生表示する動作を説明する。
【００３３】
まず、動画像データ取得部２０は、生体における肺野領域（所定の部位と把握できる）の周期的な呼吸動態を捉えた動画像データを、動画像データ保持部１０から取得する（図２のステップＳ１）。動画像データは、同一生体を所定の期間、時系列的に撮像することにより得られる複数のフレームにより構成されている。
【００３４】
ここで、当該周期的動きを捉えることができる装置としては、Ｘ線動画像撮像装置の他に、たとえば超音波画像装置、ＣＴ（Ｃｏｍｐｕｔｅｄ  Ｔｏｍｏｇｒａｐｈｙ）スキャン装置およびＭＲＩ（Ｍａｇｎｅｔｉｃ  Ｒｅｓｏｎａｎｃｅ  Ｉｍａｇｉｎｇ：核磁気共鳴画像法）などを用いることができる。
【００３５】
次に、対象領域抽出部３１は、動画像データを構成する各フレームから、肺野領域を各々抽出する（図２のステップＳ２）。当該肺野領域を抽出する方法としては、たとえば特開昭６３−２４０８３２号公報や特開平２−２５０１８０号公報に開示されている技術を採用することができる。図３は、一のフレームＦにおいて肺野領域Ｈａの抽出の様子を示す図である。
【００３６】
次に、ユーザによる外部操作により、位相抽出部３２は、抽出された各肺野領域Ｈａにおいて、所望の位置を特徴点として規定（決定）する（図２のステップＳ３）。ここで、本実施の形態では、図４に示すように、図面左側の肺野領域Ｈａの最上位（肺尖部）および図面左側の横隔膜部の中点を各々、特徴点Ｔとして決定する。なお、横隔膜は、肺野領域Ｈａの下部と接している。
【００３７】
次に、位相抽出部３２は、動画像データの各フレームにおいて特徴点Ｔの動きを捉えることにより、肺野領域Ｈａの特徴点として定めた位置の周期的動きを求める（図２のステップＳ４）。換言すれば、位相抽出部３２は、動画像データを構成する各フレームにおいて、特徴点Ｔの動きを捉えることにより、当該動画像データにおける肺野領域Ｈａの周期的な動きを求める。
【００３８】
位相抽出部３２は、動画像データの各フレームにおいて、抽出された各肺野領域Ｈａにおいて決定された二つの特徴点Ｔ間の距離の変化を捉える。当該距離の変化は周期的な変化である。本実施の形態では、当該距離の周期的な変化により、肺野領域Ｈａの周期的動きの呼吸位相を決定する。
【００３９】
当該肺野領域Ｈａの周期的動きの呼吸位相を決定する手法の一例として、「“Ｅｖａｌｕａｔｉｏｎ  ｏｆ  Ｐｕｌｍｏｎａｒｙ  Ｆｕｎｃｔｉｏｎ  Ｕｓｉｎｇ  Ｂｒｅａｔｈｉｎｇ  Ｃｈｅｓｔ  Ｒａｄｉｏｇｒａｐｈｙ  Ｗｉｔｈ  ａ  Ｄｙｎａｍｉｃ  Ｆｌａｔ  Ｐａｎｅｌ  Ｄｅｔｅｃｔｏｒ”，Ｉｎｖｅｓｔｉｇａｔｉｖｅ  Ｒａｄｉｏｌｏｇｙ，Ｖｏｌ．４１．Ｎｕｍｂｅｒ１０．Ｏｃｔ．２００６」がある。
【００４０】
動画像データにおいて、特徴点Ｔ間の距離の時系列変化をデータ化したものを図５に示す。図５において、縦軸は特徴点Ｔ間の距離の変化量を示しており、当該変化量の最小値をゼロとしている。当該縦軸は、周期的動きの変位量と称する。また、横軸は時間を示している。ここで、図５では、１周期分のデータのみを図示している。
【００４１】
図５は、変位量が最小→最大→最小と変化する時刻Ａから時刻Ｃを１周期とする、動画像データにおける肺野領域Ｈａの周期的動きと把握することができる。図５において、時刻Ｂは、周期的動きの変位量が最大値のときの位相である。
【００４２】
また、図６は、図５に示す１周期分の肺野領域Ｈａの周期的な動きを捉えた動画像データの一例を示す。当該動画像データは、撮像の順の時系列的に配列された７枚のフレームから構成されている。
【００４３】
図６において、左端のフレームＦ１が、図５における時刻Ａ時におけるフレームである。また、図６において、左から３つ目のフレームＦ３が、図５における時刻Ｂ時におけるフレームである。また、図６において、右端のフレームＦ７が、図５における時刻Ｃ時におけるフレームである。
【００４４】
次に、分割部３３は、撮像の順の時系列的に配列された複数のフレームから成る動画像データを、第一のフレーム群と第二のフレーム群とに分割する（図２のステップＳ５）。ここで、第一のフレーム群は、肺野領域Ｈａの周期的動きにおいて、変位量が最小値から最大値となる期間の複数のフレームから構成される。また、第二のフレーム群は、肺野領域Ｈａの周期的動きにおいて、変位量が最大値から最小値となる期間の複数のフレームから構成される。
【００４５】
図５，６に示す例では、分割部３３は、変位量が最小→最大→最小となる１周期分の肺野領域Ｈａの周期的動きにおいて、変位量が最大値となる時刻Ｂを検出する。そして、分割部３３は、図６に示す動画像データを時刻Ｂにおいて分割する。当該分割により、時刻Ａから時刻Ｂまでのフレーム群を第一のフレーム群と決定され、時刻Ｂから時刻Ｃまでのフレーム群を第二のフレーム群と決定される。なお、時刻ＢにおけるフレームＦ３は、第一のフレーム群では撮像の順の時系列的に末尾に位置し、第二のフレーム群では撮像の順の時系列的に先頭に位置する。
【００４６】
ここで、本実施の形態では、肺野領域Ｈａの呼吸動態について説明している。したがって、上記第一のフレーム群は、当該呼吸動態の吸気期間を撮像した、複数のフレームから構成されることが分かる。これに対して、上記第二のフレーム群は、当該呼吸動態の呼気期間を撮像した、複数のフレームから構成されることが分かる。
【００４７】
次に、再生表示部４０は、再生開始時を同期させて、第一のフレーム群の再生画像と第二のフレーム群の再生画像とを、比較可能に表示する（図２のステップＳ６）。図７に示すように、再生表示部４０は、一の画面上に、第一のフレーム群の再生画像と第二のフレーム群の再生画像とを同時に表示する。ここで、表示部４０は、図７に示すように、上記両再生画像において再生開始時を同期させている。図７の上段が、吸気期間を撮像した第一のフレーム群であり、図７の下段が、呼気期間を撮像した第二のフレーム群である。
【００４８】
ここで、本実施の形態では、第一のフレーム群の各フレームおよび第二のフレーム群の各フレームは各々、撮像の順の時系列的順序で再生される。また、本実施の形態では、再生時間調整は行わない。よって、図７の例では、吸気期間の方が呼気期間より短かったので、第一のフレーム群の再生画像の方が第二のフレーム群の再生画像よりも先に再生が終了する。
【００４９】
以上のように、本実施の形態に係る動画像表示装置１００は、生体の所定の部位の周期的動きを捉えた複数のフレームから成る動画像データを、変位量が最小値から最大値となる期間の第一のフレーム群と、前記変位量が最大値から最小値となる期間の第二のフレーム群とに、分割している。そして、動画像表示装置１００は、再生開始時を同期させて、第一のフレーム群の再生画像と第二のフレーム群の再生画像とを、比較可能に表示している。
【００５０】
再生表示される動画像データを通して、生体における周期的動きを行う所定の部位の、前半周期分の動きと後半周期分の動きとの相違などを簡単に認識することができる。したがって、当該相違等に起因した病気（所定の部位の異常など）の有無を、医者等は簡単に把握することができる。
【００５１】
また、本実施の形態では、所定の部位は肺野領域Ｈａであり、第一のフレーム群は、呼吸動態の吸気期間を撮像したフレームから構成され、第二のフレーム群は、呼吸動態の呼気期間を撮像したフレームから構成される。
【００５２】
したがって、吸気期間の再生画像と呼気期間の再生画像との比較を行うことにより、慢性肺疾患の種別診断や重篤度の把握が容易となる。たとえば、呼吸の全体能力が正常であっても呼気能力に異常がある場合には閉塞性障害と診断されるが、本実施の形態を採用することにより、吸気時に比べて呼気時に異常が現れる当該閉塞性障害の診断が容易となる。
【００５３】
また、本実施の形態に係る動画像表示装置１００は、抽出された肺野領域Ｈａにおいて所望の位置に特徴点Ｔを設定し、当該特徴点Ｔの動きを捉えることにより、肺野領域Ｈａの周期的動きを求めている。
【００５４】
したがって、肺野領域Ｈａの周期的動きを求める処理を、他の器具を用いることなく、迅速かつ軽負担で行うことができる。
【００５５】
＜実施の形態２＞
実施の形態１では、時系列的に配列された複数のフレームから成る動画像データを、肺野領域Ｈａの変位量が最大となる時刻のフレームを基準として、二つのフレーム群に分割した。そして、撮像の順序の時系列的方向を維持して、各フレーム群を再生表示していた（図７参照）。
【００５６】
これに対して、本実施の形態に係る動画像表示装置１００では、再生表示部４０は、第一のフレーム群または第二のフレーム群を、動画像データの撮像の時系列とは逆方向で再生することを特徴とする。なお、本実施の形態に係る動画像表示装置１００の機能ブロック構成は、実施の形態１で説明した動画像表示装置１００の機能ブロック構成と同じである（図１参照）。以下に説明するように、再生表示部４０が再生方向を反転させるか否かの動作の点において、両実施の形態は異なる。
【００５７】
図６に対しての図２のステップＳ５後に、本実施の形態では、各フレーム群を再生表示させる際に、再生表示部４０は、第一のフレーム群または第二のフレーム群を、時系列的に配置されたフレームを逆方向から再生させる。つまり、第一のフレーム群および第二のフレーム群のどちらか一方において、撮像順の時系列に配置された末尾のフレームから再生をスタートさせ、撮像の時系列に配置された先頭のフレームで再生を終了させる。本実施の形態に係る再生表示の様子の一例を、図８に示す。
【００５８】
図８の例では、吸気期間の各フレーム（つまり、第一のフレーム群を構成する各フレーム）は、撮像の順で時系列的に再生表示される。これに対して、呼気期間の各フレーム（つまり、第二のフレーム群を構成する各フレーム）は、撮像の順とは逆で時系列的に再生表示される。つまり、第二のフレーム群では、図６において末尾のフレームＦ７から再生が開始され、分割の起点となり第二のフレーム群の先頭であるフレームＦ３で再生が終了する。
【００５９】
なお、本実施の形態においても、図８に示すように、再生表示部４０は、再生開始時を同期させて、第一のフレーム群の再生画像と第二のフレーム群の再生画像とを、比較可能に表示する。
【００６０】
ここで、本実施の形態では、再生時間調整は行わない。よって、図８の例では、吸気期間の方が呼気期間より短かったので、第一のフレーム群の再生画像の方が第二のフレーム群の再生画像よりも先に再生が終了する。
【００６１】
以上のように、本実施の形態に係る動画像表示装置１００では、所定の部位（肺野領域Ｈａ）の動きの方向を合わせた状態で、第一のフレーム群と第二のフレーム群とを比較可能に表示している。
【００６２】
したがって、周期的動きを行う所定の部位の前半周期分の動きと後半周期分の動きとの相違を動きの方向性を合わせて判断することが重要な病気などを、医者等は簡単に診察できるようになる。
【００６３】
＜実施の形態３＞
図６に対しての図２のステップＳ５後に、本実施の形態に係る動画像表示装置１００では、再生表示部４０は、同時に再生が終了するように、第一のフレーム群の再生画像および第二のフレーム群の再生画像の少なくとも一方に対して再生時間調整を行うことを特徴とする。
【００６４】
なお、本実施の形態に係る動画像表示装置１００の機能ブロック構成は、実施の形態１で説明した動画像表示装置１００の機能ブロック構成（図１参照）に加えて、切替え手段を備えている。当該切替え手段は、後述する再生時間調整後の動画像を表示させるか、当該再生時間調整を行わず動画像を表示させるかを切替えることができる。つまり、当該切替え手段の操作に起因して、再生表示部４０が再生時間調整処理を実施するか否かの動作を決定させることができる。
【００６５】
実施の形態１，２と異なり再生時間調整を行う場合には、切替え手段を当該操作可能方向に切替える。すると、当該再生表示部４０は、再生開始時および再生終了時が同期するように、第一のフレーム群の再生画像および第二のフレーム群の再生画像の少なくとも一方において再生時間調整を行う。
【００６６】
図５において、再生表示部４０は、吸気期間（時刻Ａから時刻Ｂまでの時間）と、呼気期間（時刻Ｂから時刻Ｃまでの時間）とが同じなるように、再生時間調整を行う。
【００６７】
当該再生時間調整を行う場合には、再生表示部４０は、時刻Ａから時刻Ｂまでの時間を求め、他方、時刻Ｂから時刻Ｃまでの時間を求める。その後、再生表示部４０は、たとえば、第二のフレーム群（呼気期間）の再生時間を維持し、第一のフレーム群（吸気期間）の再生時間を調整する処理を行う。この場合、再生表示部４０は、所定の倍速Ｌ１（＝｛時刻Ｃ−時刻Ｂ｝／｛時刻Ｂ−時刻Ａ｝）で、第一のフレーム群（吸気期間）の再生時間を遅くする。
【００６８】
これにより、第一のフレーム群（吸気期間）の再生時間と、第二のフレーム群（呼気期間）の再生時間とが同じとなり、再生開始時を同期させたとき、再生終了時も同期させることができる。なお、本実施の形態では、実施の形態２で説明したように、再生表示装置４０は、吸気期間と呼気期間とで肺野領域Ｈａの動きを合わせた再生表示を行う。つまり、第一のフレーム群および第二のフレーム群のいずれか一方において、撮像の順と逆の方向で再生を行う。再生時間調整処理および再生時間反転処理後の再生表示の様子の一例を、図９に示す。
【００６９】
図９の例では、吸気期間の各フレーム（つまり、第一のフレーム群を構成する各フレーム）は、撮像の順で時系列的に再生表示される。これに対して、呼気期間の各フレーム（つまり、第二のフレーム群を構成する各フレーム）は、撮像の順とは逆で時系列的に再生表示される。つまり、第二のフレーム群では、図６において末尾のフレームＦ７から再生が開始され、分割の起点となり第二のフレーム群の先頭であるフレームＦ３で再生が終了する。
【００７０】
さらに、再生表示部４０は、再生開始時を同期させ、再生終了が同時となる、第一のフレーム群の再生画像と第二のフレーム群の再生画像とを、比較可能に表示する（図９参照）。
【００７１】
ここで、再生時間調整により画像補間の必要性が生じた場合（図９の上段における空白部が存在する場合）には、再生表示部４０は、画像の補間も行う。
【００７２】
ところで、実際には、図５において変位量の最小値の時刻は不安定となる。そこで、再生表示部４０は、吸気期間における第一の時間と呼気期間における第二の時間とが同じなるように、再生時間調整を実施することが望ましい。
【００７３】
ここで、図１０に示すように、第一の時間は、第一の時刻Ｄと第二の時刻Ｂとの間の時間である。図７に示すように、第一の時刻Ｄは、吸気期間における肺野領域Ｈａの変位量が、当該変位量の最大値Ｘ１の５％である変位量（＝０．０５×Ｘ１）のときの、時刻である。また、図１０に示すように、第二の時刻Ｂは、第一の時刻Ｄ後において時系列的に最初に現れる、肺野領域Ｈａの変位量が最大値（＝Ｘ１）のときの、時刻である。
【００７４】
これに対して、図１０に示すように、第二の時間は、上記第二の時刻Ｂと第三の時刻Ｅとの間の時間である。図１０に示すように、第三の時刻Ｅは、第二の時刻Ｂ後に最初に現れる、吸気期間における変位量が、当該変位量の最大値Ｘ１の５％である変位量（＝０．０５×Ｘ１）のときの、時刻である。
【００７５】
当該再生時間調整を行う場合には、再生表示部４０は、時刻Ｄから時刻Ｂまでの時間を求め、他方、時刻Ｂから時刻Ｅまでの時間を求める。その後、再生表示部４０は、たとえば、第二のフレーム群（呼気期間）の再生時間を維持し、第一のフレーム群（吸気期間）の再生時間を調整する処理を行う。
【００７６】
この場合、再生表示部４０は、所定の倍速Ｌ２（＝｛時刻Ｅ−時刻Ｂ｝／｛時刻Ｂ−時刻Ｄ｝）で、第一のフレーム群（吸気期間）の再生時間を遅くする。
【００７７】
これにより、第一のフレーム群（吸気期間）の再生時間と、第二のフレーム群（呼気期間）の再生時間とが同じとなり、再生開始時を同期させたとき、再生終了時も同期させることができる。ここで、再生時間調整により画像補間の必要性が生じた場合には、再生時間調整部３３は、画像の補間も行う。また、再生表示部４０は、再生開始時を同期させ、再生終了が同時となる、第一のフレーム群の再生画像と第二のフレーム群の再生画像とを、比較可能に表示する。
【００７８】
なお、上記では、時刻Ｄ，Ｅの決定の際に使用される変位量は、当該変位量の最大値Ｘ１の５％とした。しかし、５％に限らず、経験則等に応じて最適の所定のパーセントが決定される。
【００７９】
以上のように、本実施の形態に係る動画像表示装置１００は、第一のフレーム群の再生時間と第二のフレーム群の再生時間とを同じとする再生時間調整処理を実施し、当該再生時間調整後の第一のフレーム群の再生画像および第二のフレーム群の再生画像とを比較可能に表示している。
【００８０】
したがって、たとえば周期的動きを行う所定の部位の前半周期分の動きの時間と後半周期分の動きの時間とを同じにして、両者を比較し、両者の相違を検出することが重要な病気などを、医者等は簡単に診察できるようになる。
【００８１】
なお、本実施の形態では、いずれかのフレーム群の再生方向を反転する処理と上記再生時間調整処理とを行う場合に言及した。しかしながら、実施の形態１で説明したように、第一、二のフレーム群の再生方向を反転を行わず、再生開始時の同期を行い、本実施の形態で説明した再生時間調整処理を行っても良い。つまり、図７に示す例において、少なくともいずれか一方のフレーム群において再生時間調整を行っても良い。当該場合においても、再生時間調整により画像補間の必要性が生じた場合には、再生時間調整部３３は、画像の補間も行う。
【００８２】
上記各実施の形態では、生体における所定の部位を肺野領域Ｈａとし、再生表示の対象を生体における呼吸動態としていた。しかしながら、当該対象は呼吸動態に限らず、心拍や関節動態など生体における所定の部位の周期的動きであれば、他のものに対しても適用できる。
【００８３】
また、図１の構成を、各実施の形態で説明した上記各動作を実現するために、各回路ブロックから成るハードウェア構成とすることができる。しかしながら、本発明は、ソフトウェア構成により実現することもできる。つまり、上記各動作・手順を規定するプログラムを作成し、当該プログラムを記録媒体に記憶し、当該記録媒体からコンピュータが当該プログラムを読み取り・実行する。これにより、当該コンピュータを上記各実施の形態に係る動画像表示装置として機能させることができ、本願発明をソフトウェア構成として実現できる。
【符号の説明】
【００８４】
１０  動画像データ保持部
２０  動画像データ取得部
３０  制御部
３１  対象領域抽出部
３２  位相抽出部
３３  分割部
３４  再生表示部
１００  動画像表示装置
Ｈａ  肺野領域
Ｔ  特徴点
【図１】
2010158275.tif 000003
【図２】
2010158275.tif 000004
【図３】
2010158275.tif 000005
【図４】
2010158275.tif 000006
【図５】
2010158275.tif 000007
【図６】
2010158275.tif 000008
【図７】
2010158275.tif 000009
【図８】
2010158275.tif 000010
【図９】
2010158275.tif 000011
【図１０】
2010158275.tif 000012